(57)【要約】【課題】  パスポート等の糸綴じされた冊子で、糸をほどいたり、切断したりして各用紙をばらばらにして、一部を偽造した用紙と差し替え、再度糸綴じする、という偽造を防止した冊子であって、綴じ糸を強固に固定し、偽造防止効果が高く、任意のページを開くことために、左右どちらかのページ部を折ることが不必要であり、また、中央部が盛り上がることのない冊子であって、記載内容の読み取り、書き込み等の機械処理に支障が生じることのない冊子を提供することである。【解決手段】  丁合した見返し用紙および本文用紙の中心線に沿って糸綴じを施し、見返し用紙に表紙を貼り付け、表紙を背側として糸綴じ部に沿って二つ折りした冊子において、センターページまたは／およびセンターページ以外のページの糸綴じ部の一部を含む所定領域に対して転写シールを転写貼り付けてなることを特徴とする冊子である。【選択図】図１
2010023270.tif 000002
【特許請求の範囲】
【請求項１】
丁合した見返し用紙および本文用紙の中心線に沿って糸綴じを施し、見返し用紙に表紙を貼り付け、表紙を背側として糸綴じ部に沿って二つ折りした冊子において、
センターページの糸綴じ部の一部を含む所定領域に対して転写シールを転写貼り付けてなることを特徴とする冊子。
【請求項２】
丁合した見返し用紙および本文用紙の中心線に沿って糸綴じを施し、見返し用紙に表紙を貼り付け、表紙を背側として糸綴じ部に沿って二つ折りした冊子において、
センターページ以外のページの糸綴じ部の一部を含む用紙の所定領域に転写シールを転写貼り付けしてなることを特徴とする冊子。
【請求項３】
転写シールが感熱接着剤を用いた転写シールであることを特徴とする請求項１または２に記載の冊子。
【請求項４】
転写シールがホログラム層を有していることを特徴とする請求項１〜３のいずれか１項に記載の冊子。
【発明の詳細な説明】
【技術分野】
【０００１】
本発明は、パスポート等の偽造が極めて困難なことが要求される冊子に関する。
【背景技術】
【０００２】
パスポートに代表される冊子の製本方法は、丁合し、平重ねした複数枚の見返しページや本文ページ用の内ページ用紙の中心線に沿って糸綴じを施し、次に背側の糸目を隠蔽するように表紙を貼り付け、さらに綴じ糸を折り線とする折り目をつけ、表紙が外側となるように二つ折りして冊子とする方法である。この構造は、どのページにおいても開くことが容易であり、またどのページでも平面性がよく、パスポート、銀行通帳等の冊子を機械読み取り、記帳する際に、好都合である。
【０００３】
図２の断面説明図に基づいて、上記の冊子の通常の製本方法を説明する。図２（ａ）は、見返しページ用紙２１の上に本文ページ用紙２２を所定の順序で平重ね（丁合）した状態である。図２（ａ）において、最下層の見返しページ用紙２１は、後の工程で表紙と貼り合わせる。
【０００４】
図２（ｂ）は、中心線に沿って綴じ糸２３によって糸綴じした状態を示す。通常、ミシン縫いで糸綴じする。
【０００５】
図２（ｃ）は、表紙２４を見返しページ用紙２１の下に置き、全面を接着剤で貼り合わせた状態を示す。見返しページ用紙２１の下側に露出している糸は、表紙によって隠蔽された状態になる。また、図２（ｃ）において、最上部の用紙上には綴じ糸２３が露出している。このページを本発明ではセンターページと呼ぶ。
【０００６】
続いて、図２（ｄ）に示すように、プレス２５によって、綴じ糸に沿って線状の折り目を付ける。この工程はスジ押しと呼ばれることがある。
【０００７】
図２（ｅ）は、表紙を外側として二つ折りした後、断裁して、個々の冊子としたものを部分的に開いた状態を示した図である。用紙２１と表紙２４は貼り合わされて一体になっている。
【０００８】
パスポートは、特に近年、偽造、模造の被害が各国で発生していて、各国政府はその対策に苦心している。偽造の方法の一つに、本物のパスポート冊子の綴じ糸を切断したり、ほどいたりして、ばらばらにし、本文ページやＩＤページを偽造品と差し替え、再び各ページを綴じ合わせる方法がある。この偽造の方法は、その他の綴じ糸製本した冊子についても使用することができるので、偽造のおそれがある冊子については、対策が必要である。
【０００９】
上記の偽造方法に対する防止効果の高い冊子の製本方法として、特許文献１、特許文献２に記載されている方法がある。その冊子製本方法では、内ページを形成する平重ねリーフ（用紙）をミシン綴じした後、該糸綴じ平重ねリーフの綴じ糸側から糸目全長に接着剤を塗布して、綴じ糸の毛管作用で糸目及び針刺し孔に接着剤を含浸させ、これを硬化した後、上記糸目を隠蔽するように表紙を貼り付けている。
【００１０】
上記のように製本した糸綴じ冊子は、綴じ糸、糸目、針刺し孔に含浸させた接着剤が硬化しているので、綴じ糸をほどくことや切断することが困難であり、偽造防止に非常に有効である。また、冊子の背側となる糸目から接着剤を塗布しているので、見開き側の糸目
に接着剤の盛り上がりがなく、機械処理に支障がない構造である。
【００１１】
上記の方法による冊子は、接着剤が折り目の部分だけにある場合には、任意のページを開くことも、また任意のページを機械処理する場合にも、支障がない。しかし、接着剤の量が少ないと、硬化した接着剤を鋭利な刃物等で切断することによって、上記の偽造を行うことが可能になる。一方、偽造を防止するために接着剤の量を増やすと、接着剤が折り目部分より広がり、任意のページを開くことためには、左右どちらかのページ部を折ることが必要になり、また、中央部が盛り上がるので、機械処理に支障が生じる場合が多くなる。
【００１２】
以下に特許文献を示す。
【特許文献１】特公平７−４５２６７号公報
【特許文献２】特許第２９３５８３６号公報
【特許文献３】特開平６−１１０３７５号公報
【特許文献４】特開平７−２７１２８１号公報
【特許文献５】特許第３６８４６５３号公報
【発明の開示】
【発明が解決しようとする課題】
【００１３】
パスポート等の糸綴じされた冊子で、糸をほどいたり、切断したりして各用紙をばらばらにして、一部を偽造した用紙と差し替え、再度糸綴じする、という偽造を防止した冊子であって、綴じ糸を強固に固定し、偽造防止効果が高く、任意のページを開くために、左右どちらかのページ部を折ることが不必要であり、また、中央部が盛り上がることのない冊子であって、記載内容の読み取り、書き込み等の機械処理に支障が生じることのない冊子を提供することである。
【課題を解決するための手段】
【００１４】
本発明は、上記の課題に鑑みてなされたものであって、請求項１に係わる発明は、丁合した見返し用紙および本文用紙の中心線に沿って糸綴じを施し、見返し用紙に表紙を貼り付け、表紙を背側として糸綴じ部に沿って二つ折りした冊子において、
センターページの糸綴じ部の一部を含む所定領域に対して転写シールを転写貼り付けてなることを特徴とする冊子である。
【００１５】
請求項２に係わる発明は、丁合した見返し用紙および本文用紙の中心線に沿って糸綴じを施し、見返し用紙に表紙を貼り付け、表紙を背側として糸綴じ部に沿って二つ折りした冊子において、
センターページ以外のページの糸綴じ部の一部を含む用紙の所定領域に転写シールを転写貼り付けしてなることを特徴とする冊子である。
【００１６】
請求項３に係わる発明は、転写シールが感熱接着剤を用いた転写シールであることを特徴とする請求項１または２に記載の冊子である。
【００１７】
請求項４に係わる発明は、転写シールがホログラム層を有していることを特徴とする請求項１〜３のいずれか１項に記載の冊子である。
【発明の効果】
【００１８】
本発明による冊子は、転写シールを糸綴じ部に転写貼り付けてあるので、綴じ糸が強固に固定されている。従って、綴じ糸を切断して冊子をばらばらにして、本文ページやＩＤページを偽造品と差し替える偽造に対し防止効果が高い冊子である。また、冊子の任意のページを開くために、左右どちらかのページ部を折ることが不必要であり、また、糸目部
分が盛り上がることのない冊子なので、記載内容の読み取り、書き込み等の機械処理に支障が生じることのない冊子である。
【００１９】
特に、本発明請求項１の発明の冊子においては、転写シールがセンターページの糸綴り部を直接覆っているので、補強効果、偽造防止効果が大きい。
【００２０】
また、本発明請求項２の発明の冊子においては、各用紙の間で綴じ糸を切断し、冊子をばらばらにして、一部を偽造した用紙に差し替え、再度糸綴じする偽造方法に対して、防止効果が大きい。
【発明を実施するための最良の形態】
【００２１】
本発明において、転写シールとは、いわゆる転写シール以外に転写箔、転写シール、転写ラベルと呼ばれるものを含む。形状は、特定されない。例えば、ストライプ状であってもよいし、短冊状であってもよいし、その他、円状、星形状であってもよい。
本発明に使用することができる転写シールの基本構成と転写の状況を図３の断面説明図によって説明する。図３（ａ）は転写シール用の原反の層構成であり、原反は剥離ベース基材３１に剥離材層３２が形成され、さらに転写シール層３３、次ぎに接着剤層３４が形成された構造である。原反の形状は長尺のテープ状であってもよいし、ラベルのように所定の形状に成形したものであってもよい。
【００２２】
図３（ｂ）は、上記の原反を被転写体３５に貼り付けた状態を示し、図３（ｃ）は剥離ベース基材３１を引き剥がした状態を示す。図３（ｃ）において、転写シール層３３は剥離剤層３２との界面で剥離し、被転写体３５側に転写される。本発明において、転写シール層３３と接着剤層３４を合わせて転写シールと呼ぶ。
【００２３】
転写シール層３３は、単にプラスチックフィルムや金属フィルムであってもよく、またプラスチックフィルム、金属フィルム、その他の層を重ねた複雑な構成であってもよい。
【００２４】
接着剤層３４の接着剤は、上記の条件を満たすものであれば、たとえば、感圧接着剤（粘着材）、感熱接着剤、感圧感熱接着剤、加熱硬化型接着剤、感光硬化型接着剤のいずれであってもよい。
【００２５】
接着剤に感熱接着剤を使用した転写シール、いわゆる熱転写シール、は本発明に使用して、接着強度、作業性の点で特に好ましい。
【００２６】
本発明において特に好ましい接着剤は、非破壊剥離が困難な接着強度を有するものである。すなわち、転写シール層を何らかの手段で剥離した場合に、被着転写体、すなわち冊子の用紙が破壊してしまうか、あるいは転写シール層３４が破壊してしまう接着強度を有するものである。
【００２７】
本発明請求項１に係わる発明を図１（ａ）に示した模式図によって以下に説明する。図１（ａ）は、図２に例示した通常の製法によって作成した中央部を糸綴じした冊子１を、センターページ３で開いた状態を示していて、中央部の点線は糸綴じ部２であり、綴じ糸が露出している。
【００２８】
図１（ａ−１）は、糸綴じした部分全体を覆うようにテープ状の転写シール５を貼り付けた状態を示す。図１（ａ−２）は糸綴じした部分の一部を覆うように短冊状の転写シール６を貼り付けた状態を示す。
【００２９】
本発明請求項１の発明の偽造防止冊子は、図１（ａ−１）または図１（ａ−２）のいず
れか状態に転写シールを貼り付けた冊子である。なお、図１（ａ−２）において、短冊状の転写シールを２カ所に貼り付けた状態を示しているが、１カ所でもよく、また数カ所であってもよい。また、同種の転写シールであってもよく、それぞれ異種の転写シールであってもよい。さらに形状が異なっていてもよい。
【００３０】
本発明請求項１の発明の偽造防止冊子の作成工程において、転写シールを貼り付ける工程は、図２の製本工程において、図２（ｂ）の糸綴じ工程の後であれば何時でもよいが、糸綴じ工程と折り目加工の間に行うことが、工程上好都合である。
【００３１】
本発明請求項２に係わる冊子について、図１（ｂ）に基づいて、以下に説明する。図１（ｂ）は、図２に例示した通常の製法で作成した冊子１を、センターページでないページ４を開いた状態を示していて、中央部の点線は糸綴じ部２である。図１（ｂ−１）は糸綴じした部分全体を覆うようにテープ状の転写シール５を貼り付けた状態を示す。図１（ｂ−２）は糸綴じした部分の一部を覆うように短冊状の転写シール６を貼り付けた状態を示す。
【００３２】
本発明請求項２に記載の偽造防止冊子は、図１（ｂ−１）または図１（ｂ−２）のいずれか状態に転写シールを貼り付けた冊子である。なお、図１（ｂ−２）において、短冊状の転写シールを２カ所に貼り付けた状態を示しているが、１カ所でもよく、また数カ所であってもよい。また、同種の転写シールであってもよく、それぞれ異種の転写シールであってもよい。
【００３３】
本発明請求項２の発明の偽造防止冊子の作成において、転写シールを貼り付ける工程は、図２（ｂ）の糸綴じ工程の後であれば何時でもよいが、二つ折り工程の後であることが、好ましい。
【００３４】
本発明請求項１または２に記載の冊子において、転写シールを貼り付ける部分のサイズに限定はないが、転写シールの部分にも記載事項があるサイズにすることによって、偽造することがさらに困難になる。例えば、印刷されている部分を含むように転写シールを貼り付ければ、偽造することが困難になる。また、転写シールを大きくして、出入国時に押されるスタンプ印等が転写シール上にも印字されるサイズにすれば、偽造はさらに困難になる。この場合、転写シールとしてスタンプ可能な表面を持つもの、例えば合成紙、を使用する。
【００３５】
転写シールを冊子用紙に貼り付ける装置としては、例えば、図４（ａ）に示したアップダウン方式の装置、（ｂ）に示したロール方式の装置がある。図４（ａ）は、平板状の加圧板４３が上下することによって、転写シール４１を冊子用紙の所定部分に転写貼り付けている状態を示している。また図４（ｂ）は、加圧ロール４４が回転して、転写シール４１を冊子用紙の所定部分に転写貼り付けている状態を示している。
【００３６】
アップダウン方式の装置は、ラベル型、短冊状の転写シールを貼り付ける場合に使用することが好ましい。一方、ロール型の装置は、テープ状の転写シールを貼り付ける場合に使用することが好ましい。いずれの装置も請求項１ないし４のいずれか１項記載の冊子を作成する際に使用することができる。
【００３７】
綴じ糸部を強固に固定するために好ましい転写シールは、機械的強度があるとともに、折り曲げ耐久性があるものである。例えば、転写シール層３３として厚さ１０〜１００μｍのポリ塩化ビニル、ポリエチレン、ポリプロピレン、ポリスチレン、ポリエステルフィルム、ポリカーボネートのフィルムを使用し、接着剤３４として感熱接着剤を使用した熱転写シールが好ましい。特に、転写シール層３３としてポリエステルフィルムを使用した
ものが、好ましい。
【００３８】
さらに、転写シール層３３として、厚さ３０〜１００μｍの合成紙を使用したものは、筆記性や印字適性、スタンプ適性を有するので、転写シールのサイズを出入国時に押されるスタンプ印等が冊子用紙と転写シール層３３の上に割り印の状態で印字されるサイズとすることによって、偽造防止効果をさらに向上することができる。
【００３９】
接着剤層３４を構成する接着剤としては、任意のものでよいが感熱接着剤が好適である。例えば、ポリエステル樹脂系感熱接着剤、アクリル系感熱接着剤、塩化ビニル系感熱接着剤、ポリアミド系感熱接着剤、ポリ酢酸ビニル系感熱接着剤、ゴム系感熱接着剤、エチレン−酢酸ビニル共重合系感熱接着剤、塩化ビニル−酢酸ビニル共重合系感熱接着剤等の周知の熱可塑性樹脂系の感熱接着剤を使用することができる。
【００４０】
感熱接着剤層３４は、上記の感熱接着剤を適当な溶剤の溶解、または分散、してグラビアコート法、ロールコート法、ブレードコート法等の方法で乾燥膜厚が１〜２０μｍになるように塗布、乾燥することによって形成する。
【００４１】
剥離ベース基材３１は転写完了時まで転写シールを物理的に支持し、かつ、図３（ｃ）に示すように、転写完了時に、被転写体３５表面から剥離除去されるものである。通常厚さ１０〜１００μｍのポリエチレンテレフタレートフィルムが使用されるが、本発明においても好適に使用することができる。
【００４２】
剥離剤層３２は、転写時に剥離ベース基材３１が転写シール層３３から容易に剥離するように設けた層である。剥離剤層３２構成する剥離剤として、熱可塑性アクリル樹脂、塩化ゴム樹脂、塩化ゴム樹脂にニトロセルロース、アセチルセルロース、セルロースアセテートブチレート、ポリスチレン、塩酢ビ樹脂のいずれか一種、またはこれらより選ばれた一種以上の成分を混合したもの、を使用することができる。上記の樹脂を剥離剤として使用した場合には、熱転写の際に剥離剤層４２が溶融して、剥離ベース基材３１と転写シールとの剥離が容易になる。
【００４３】
また、剥離剤として、メラミン樹脂、アルキッド樹脂、エポキシ樹脂、尿素樹脂等の熱硬化性樹脂を使用することができる。これら熱硬化性樹脂を使用した剥離剤層３２は、熱転写時に熱硬化して、転写シール層３３との接着力が低下するので、容易に剥離することができる。
【００４４】
また、転写シールを破壊的に剥離し、新たな偽造転写シールを使用するという偽造手段に対しては、偽造し難い転写シールが有効である。例えば、特殊インク（蛍光、燐光、蓄光）、光学インク（コレステリック液晶、ネマティック液晶、光反射性物質）を使用した転写シール、さらにはホログラム層を有する転写シールを採用することが好ましい。
【００４５】
特に、ホログラム層を有する転写シールは、偽造することが困難である上に、独特の人目を引く、装飾効果が高いパターンを形成することができるので、本発明の偽造防止冊子に使用して効果が高い。
【００４６】
ホログラム転写シールとしては、従来公知のものから適宜選択して使用することができる。例えば特許文献３に記載されているものを使用することができる。
【００４７】
さらに転写シールとしては脆性加工を施したものが好ましい。ここで脆性加工とは剥離を試みると転写シールが破壊してしまうことを指す。なかでも、脆性ホログラム転写シールは冊子用紙から該転写シールを引き剥がした場合に、ホログラム形成層が破壊されるも
のであり、本発明の冊子に使用して、特に好適である。該脆性ホログラム転写シールは、従来公知のものから適宜選択して使用することができる。例えば特許文献４、特許文献５に記載されているものを使用することができる。
【図面の簡単な説明】
【００４８】
【図１】本発明による冊子の模式図である。
【図２】従来の方法による冊子の製本工程の説明図である。
【図３】転写シールに関する説明図である。
【図４】転写シールを貼り付ける装置の説明図である。
【符号の説明】
【００４９】
１・・・従来方法による糸綴じした冊子
２・・・糸綴じ部
３・・・センターページ
４・・・センターページ以外のページ
５、６・転写シール
２１・・見返しページ用紙
２２・・本文ページ用紙
２３・・綴じ糸、糸綴じ部
２４・・表紙
３１・・剥離ベース基材
３２・・剥離材層
３３・・転写シール層
３４・・接着剤層
３５・・被転写体
４１・・転写シール原反
４２・・糸綴じした冊子
４３・・加圧板
４４・・加圧ロール
【図１】
2010023270.tif 000003
【図２】
2010023270.tif 000004
【図３】
2010023270.tif 000005
【図４】
2010023270.tif 000006